(57)【特許請求の範囲】
【請求項１】
被設置面に設けられた凹部に嵌入される有底筒状の外筒部材と、
軸から偏心した位置にフランス落し本体の落し棒の先端が挿入可能な貫通穴が設けられ、前記外筒部材に同軸にかつ回動可能に挿嵌される内筒部材とを備え、
前記内筒部材は、前記貫通穴内に、該貫通穴の上側開口部を閉塞する蓋と、前記蓋を前記貫通穴の上側開口部へ向けて付勢する弾性体と、前記弾性体の下端に当接して固定支持する支持手段とを有し、
前記外筒部材の内側周面における底面の近傍には、該底面から上方に突出する上向き突起が設けられ、前記内筒部材の外側周面には、該内筒部材の底面から下方に突出する下向き突起が設けられ、
前記上向き突起及び前記下向き突起の両側辺が、頂部に向かって傾斜するテーパ形状をそれぞれ有していることを特徴とするフランス落し受具。
【請求項２】
前記外筒部材の前記内側周面の前記上向き突起に対応する位置に軸方向に伸長する凹条が設けられ、前記内筒部材の前記外側周面の前記下向き突起に対応する位置に軸方向に伸長する凸条が設けられていることを特徴とする請求項１に記載のフランス落し受具。
【請求項３】
前記内筒部材の上部の外側周面の一部には、周方向の沿ってくぼみが設けられていることを特徴とする請求項１又は２に記載のフランス落し受具。
【請求項４】
前記支持手段は、前記内筒部材の下部に横設され、前記弾性体の下端に当接して固定支持するピンから構成されていることを特徴とする請求項１から３のいずれか１項に記載のフランス落し受具。
【請求項５】
請求項１から４のいずれか１項に記載のフランス落し受具を備えたことを特徴とするフランス落し。
【発明の詳細な説明】
【技術分野】
【０００１】
本発明は、扉等に用いられるフランス落し受具及びこの受具を備えたフランス落しに関する。
【背景技術】
【０００２】
例えば開き戸形式の親子扉の子側の扉を、親子扉を建て込んでいる扉枠等に留め付けるには、フランス落しが用いられる。このフランス落しの落し棒（スライドシャフト）を受けるフランス落し受具は、一般に、床面に設けた設置孔内に嵌装された有底円筒状の金具から構成されている。しかしながら、このようなフランス落し受具は、床に取付けられており上部が開口しているため、ゴミ、埃、砂等が金具内部に入り込み、受具の開口が塞がれてしまう可能性があった。
【０００３】
近年、このようなゴミ、埃、砂等が内部に溜まらず、落し棒を必ず差し込むことができ、その結果、扉等を確実に閉鎖保持できるフランス落し受具が提案されている（例えば、特許文献１）。
【０００４】
この特許文献１に記載のフランス落し受具は、床面に設けた設置孔に嵌め込められ上部が開口したほぼボックス状の落し受け本体を有しており、この落し受け本体の開口部に閉塞蓋が設けられている。この閉塞蓋は、落し受け本体内に縮装した弾撥体によって、内側から開口に対して弾撥的に係合し、これによって開口を密着状に閉塞するように構成されている。
【０００５】
また、落し受け本体と受具との取付け誤差があってもフランス落しの落し棒をスムーズに嵌めることができるようにしたフランス落し受具も提案されている（例えば、特許文献２）。
【０００６】
特許文献２に記載のフランス落し受具は、絞り加工によるテーパ状筒部及び取付けネジ挿通孔を形成した薄手の金属プレートと、このプレートのテーパ状筒部に回動可能且つ緊密に嵌合し偏心位置にフランス落し本体のスライド軸の先端が嵌まる穴を開設した合成樹脂製の受け駒とによって構成され、この受け駒の大径側端面には、回動工具係合用の係合部が形成され、受け駒の小径側周面には、プレートのテーパ状筒部に引っ掛かってテーパ状筒部からの抜止をはかる抜止め片が突設されている。これにより、受け駒の上端面に開設された溝状の係合部にコインを嵌めて回すと、穴を偏心回動させることができ、フランス落し本体の落し棒と受具との取付け誤差程度のずれが解消できる。
【先行技術文献】
【特許文献】
【０００７】
【特許文献１】実開平５−１７０４９号公報
【特許文献２】実用新案登録第３０１９６００号公報
【発明の概要】
【発明が解決しようとする課題】
【０００８】
しかしながら、上述した特許文献１に記載のフランス落し受具は、閉塞蓋を有するもののゴミ、埃、砂等の侵入を完全には防ぐことはできず、少量のゴミ、埃、砂等がどうしても侵入してしまうため、その除去メンテナンス作業が必要となるが、受け具を分解することが難しいため、その除去メンテナンス作業を容易に行えなかった。
【０００９】
また、上述した特許文献２に記載のフランス落し受具は、受け駒を回動させることができるが、受け駒自体をテーパ状筒部から取り出すことができないため、ゴミ、埃、砂等が侵入した場合、メンテナンス作業が非常に困難であった。
【００１０】
従って、本発明の目的は、フランス落し本体の落し棒と受具との取付け誤差があっても、これを調整して容易に解消することができ、フランス落し受具に落し棒をスムーズに嵌め込むことができると共に、ゴミ、埃、砂等の侵入を防ぐことができるフランス落し受具及びこの受具を備えたフランス落しを提供することにある。
【００１１】
本発明の他の目的は、メンテナンス作業の際に、内筒を外筒から容易に引き出すことができ、かつ内筒を外筒から外しても、各部品が互いに分離することが無く、専門的な知識を必要とせずに再組立できるフランス落し受具及びこの受具を備えたフランス落しを提供することにある。
【課題を解決するための手段】
【００１２】
本発明によれば、フランス落し受具は、被設置面に設けられた凹部に嵌入される有底筒状の外筒部材と、軸から偏心した位置にフランス落し本体の落し棒の先端が挿入可能な貫通穴が設けられ、外筒部材に同軸にかつ回動可能に挿嵌される内筒部材とを備えている。内筒部材は、貫通穴内に、この貫通穴の上側開口部を閉塞する蓋と、蓋を貫通穴の上側開口部へ向けて付勢する弾性体と、弾性体の下端に当接して固定支持する支持手段とを有している。
【００１３】
内筒部材が、軸に対して偏心した位置にフランス落し本体の落し棒の先端が挿入可能な貫通穴を備えているため、フランス落しの落し棒の位置とこのフランス落し受具の位置とがずれて取付けられた場合であっても、内筒部材を回動して貫通穴の位置が調整することにより、そのずれを解消でき、落し棒をフランス落し受具にスムーズに嵌めることができる。また、内筒部材が貫通穴の上側開口部を閉塞する蓋と、この蓋を貫通穴の上側開口部の方向へ付勢する弾性体とを備えているため、ゴミ、埃、砂等のフランス落し受具への侵入を防ぐことができる。さらに、弾性体の下端に当接してこれを固定支持するピンを設けたことにより、内筒部材を外筒部材から外した場合にも、各部品がばらばらに分離してしまうことが無く、専門的な知識を必要とせずに容易に再組立することができる。
【００１４】
外筒部材の内側周面における底面の近傍には、この底面から上方に突出する上向き突起が設けられ、内筒部材の外側周面には、この内筒部材の底面から下方に突出する下向き突起が設けられ、上向き突起及び下向き突起の両側辺が、頂部に向かって傾斜するテーパ形状をそれぞれ有していることが好ましい。これにより、内筒部材を回動させ上向き突起と下向き突起とが同位置となったとき、内筒部材が上向き突起の高さ分だけ外筒部材から突出する状態となり、メンテナンス作業の際に、内筒部材を外筒部材から容易に引き出すことができる。
【００１５】
この場合、外筒部材の内側周面の上向き突起に対応する位置に軸方向に伸長する凹条が設けられ、内筒部材の外側周面の下向き突起に対応する位置に軸方向に伸長する凸条が設けられていることが好ましい。これにより、上向き突起と下向き突起とが同位置となったとき、内筒部材の凸条が外筒部材の凹条内に係合し、内筒部材と外筒部材の嵌合力が弱まるので、内筒部材を外筒部材からより容易に引き出すことができ、メンテナンスの際の作業性を向上することができる。
【００１６】
内筒部材の上部の外側周面の一部には、周方向の沿ってくぼみが設けられていることも好ましい。これにより、内筒部材を外筒部材から引き出す際に、指又は工具をくぼみに引掛けて内筒部材を容易に引き出すことができる。
【００１７】
支持手段は、内筒部材の下部に横設され、弾性体の下端に当接して固定支持するピンから構成されていることも好ましい。
【００１８】
また、本発明によれば、フランス落しは、上述したフランス落し受具を備えたことで、フランス落し本体の落し棒と受具の取付け誤差があっても、フランス落しの落し棒をスムーズに嵌めることができると共に、ゴミ、埃、砂等の侵入を防ぐことができる。また、メンテナンス作業の際に、内筒部材を外筒部材から容易に引き出すことができ、かつ内筒部材を外筒部材から外しても、内筒部材の各部品が分離することが無く、専門的な知識を必要とせずに容易に再組立することができる。
【発明の効果】
【００１９】
本発明のフランス落し受具及びフランス落しによれば、フランス落しの落し棒の位置とこのフランス落し受具の位置とがずれて取付けられた場合であっても、内筒部材を回動して貫通穴の位置を調整することにより、そのずれを解消でき、落し棒をフランス落し受具にスムーズに嵌めることができる。また、ゴミ、埃、砂等のフランス落し受具への侵入を防ぐことができる。さらに、内筒部材を外筒部材から外した場合にも、各部品がばらばらに分離してしまうことが無く、専門的な知識を必要とせずに容易に再組立することができる。さらにまた、メンテナンス作業の際に、内筒部材を外筒部材から容易に引き出すことができる。
【図面の簡単な説明】
【００２０】
【図１】本発明の一実施形態に係るフランス落し受具の全体の構成を概略的に示す分解斜視図である。
【図２】図１の実施形態に係るフランス落し受具の外筒部材と内筒部材を分離した状態を示す斜視図である。
【図３】図１の実施形態に係るフランス落し受具の全体の構成を概略的に示す斜視図である。
【図４】図１の実施形態に係るフランス落し受具の外筒部材の構成を概略的に示す上面図及び側面図である。
【図５】図１の実施形態に係るフランス落し受具の内筒部材の構成を概略的に示す上面図及び断面図である。
【図６】図１の実施形態に係るフランス落し受具の内筒部材の回転前後の状態を示す平面図である。
【図７】図１の実施形態に係るフランス落し受具の内筒部材が外筒部材から突出した状態を示す斜視図である。
【図８】図１の実施形態に係るフランス落し受具の内筒部材が外筒部材から突出した状態を示す断面図である。
【図９】図１の実施形態に係るフランス落し受具を備えたフランス落しの構成を概略的に示す斜視図である。
【発明を実施するための形態】
【００２１】
以下、本発明に係るフランス落し受具及びそれを備えたフランス落しの実施形態を、図を参照して説明する。
【００２２】
図１〜図３は本発明の一実施形態に係るフランス落し受具１００の全体の構成を示している。図１は分解状態を示しており、図２は内筒部材２０が組み立てられた状態を示しており、図３はフランス落し受具１００の組み立て状態を示している。図４は外筒部材１０の構成を示しており、同図（ａ）は外筒部材１０を上面から見た状態、（ｂ）は外筒部材１０を側面から見た状態を示している。図５は内筒部材２０の構成を示しており、同図（ａ）は内筒部材２０を上面から見た状態、（ｂ）は内筒部材２０の図５（ａ）におけるＡ−Ａ線断面を示している。
【００２３】
図１〜図５に示すように、本実施形態に係るフランス落し受具１００は、例えば床面である被設置面に設けられた円筒状の凹部に嵌入固定される円筒状の外筒部材１０と、外筒部材１０に同軸にかつ回動可能に、さらに着脱自在に挿嵌される円筒状の内筒部材２０とを備えている。
【００２４】
外筒部材１０は、樹脂材料又は金属材料によって有底円筒形状に形成されている。この外筒部材１０は、本実施形態では、ポリプロピレン（ＰＰ）樹脂材料を成形して形成されている。外筒部材１０は、有底円筒部１１と、鍔部１２とを備えており、有底円筒部１１の内側周面における底面近傍には、この底面から上方に突出する上向き突起１３が設けられている。この上向き突起１３は、その両側辺が頂部に向かって傾斜するテーパ形状に形成されている。
【００２５】
また、有底円筒部１１の内側周面における上向き突起１３の頂部に対応する位置には、この有底円筒部１１の軸方向に伸長する１本の凹条１４が設けられている。さらに、有底円筒部１１の外側周面には、この有底円筒部１１の軸方向にそれぞれ伸長する複数のリブ１５が形成されている。これら複数のリブ１５は、先端部がテーパ状に形成されており、被設置面に設けられた円筒状の凹部にこの有底円筒部１１を挿入嵌合した際に、外筒部材１０をしっかりと固定が行われるために設けられている。鍔部１２の上面には、内筒部材２０の回動位置の目印となるこの例では１対の切溝１６が設けられている。
【００２６】
内筒部材２０は、外筒部材１０内に同軸に着脱自在に挿嵌でき、その軸から偏心した位置にフランス落し本体の落し棒の先端が挿入可能であり軸方向に伸長する貫通穴２１が設けられている。この内筒部材２０は、貫通穴２１内に配設されており、この貫通穴２１の上側開口部を閉塞する蓋２２と、貫通穴２１内に配設されており、蓋２２を貫通穴２１の上側開口部へ向けて付勢する弾性体としてのバネ２３と、貫通穴２１内に配設されており、バネ２３の下端に当接しこのバネ２３の一端を貫通穴２１内で固定支持する支持手段としてのピン２４とを備えている。ピン２４は、内筒部材２０の下部に横設され、バネ２３の下端に当接して固定支持する。内筒部材２０及び蓋２２は、樹脂材料又は金属材料によって形成されているが、特に本実施形態では、内筒部材２０及び蓋２２は、ポリプロピレン（ＰＰ）樹脂材料を成形して形成されている。
【００２７】
貫通穴２１の上側開口部には、蓋２２を係止するための小径部２１ａが形成されている。ピン２４の両端部は貫通穴２１の壁面を貫通して形成された１対のピン孔２４ａに挿入され固定されている。また、内筒部材２０の外側周面には、この内筒部材２０の底面から下方に突出する下向き突起２５が設けられている。この下向き突起２５は、その両側辺が平坦な頂部に向かって傾斜するテーパ形状に形成されている。さらに、内筒部材２０の外側周面における下向き突起２５の頂部に対応する位置には、この内筒部材２０の軸方向に伸長する１本の凸条２６が設けられている。
【００２８】
さらにまた、内筒部材２０の上端面には、回動工具（例えば、コイン等）係合用の１対の凹溝２７が設けられている。この凹溝２７にコイン等を嵌めて回すと、貫通穴２１を偏心した状態で回動させることができるため、フランス落し本体の落し棒とフランス落し受具１００との取付け位置にずれがある場合にも、貫通穴２１の開口位置を調整することができる。また、内筒部材２０の上部の外側周面の一部には、周方向に沿って形成されたくぼみ２８が設けられている。このくぼみ２８は、内筒部材２０を外筒部材１０から引き出す際に、指又は工具を引掛けるためのものであり、これによって内筒部材２０を容易に引き出すことができる。さらに、内筒部材２０の上面には、内筒部材２０の回動位置の目印となるこの例では１つの切溝２９が設けられている。
【００２９】
図６は内筒部材２０の回転前後の位置の一例を示しており、同図（ａ）は回転前の位置であり、（ｂ）は内筒部材２０を９０度回転させた位置を示している。図６に示すように、内筒部材２０を回転させることで、偏心位置にある貫通穴２１の開口位置を容易に調整することができ、落し棒をフランス落し受具にスムーズに嵌めることができる。
【００３０】
図７は内筒部材２０が外筒部材１０から突出している状態の外観を示しており、図８は内筒部材２０が外筒部材１０から突出している状態のＢ−Ｂ線断面を示している。図７及び図８に示すように、回動工具（例えば、コイン等）で内筒部材２０を回動させると、上向き突起１３と下向き突起２５とが同位置となったときに、内筒部材２０が上向き突起１３の高さ分（高さｈ）だけ外筒部材１０から突出する状態となる。この突出した状態では、内筒部材２０の凸条２６が外筒部材１０の凹条１４内に係合し、内筒部材２０と外筒部材１０との嵌合力が弱まるので、指又は工具をくぼみ２８に引掛けるのみで、内筒部材２０を外筒部材１０から容易に引き出すことができる。この位置以外の回動位置では、内筒部材２０は突出せず、貫通穴２１の開口部の位置を調整することのみが行われる。
【００３１】
図９は本実施形態のフランス落し受具１００を備えたフランス落し２００の構成を示している。図９に示すように、フランス落し２００は、床又は敷居等の被設置面に設けられた凹部に嵌入される上述したフランス落し受具１００と、扉等に装着されたフランス落し本体１１０と備えている。
【００３２】
フランス落し本体１１０は、扉等の端面又は内側面の下部に固着される落し棒保持具１１１と、落し棒保持具１１１に昇降自在に装着される落し棒（スライドシャフト）１１２と、落し棒１１２の中間部に固着された摘み１１３とを有している。摘み１１３の操作により落し棒１１２の上昇（ロック開放）又は降下（ロック）ができる。
【００３３】
この場合、例えば、扉に固着されたフランス落し本体１１０の落し棒１１２の位置とフランス落し受具１００の位置との間に取付け誤差があっても、フランス落し受具１００の偏心した貫通穴２１を有する内筒部材２０を回動させることで貫通穴２１の位置が調整できるため、落し棒１１２をこの貫通穴２１にスムーズに嵌めることができる。
【００３４】
以上説明したように、本実施形態に係るフランス落し受具１００は、外筒部材１０とこの外筒部材１０内に同軸にかつ回動可能に挿入される内筒部材２０とを有しており、内筒部材２０がその軸に対して偏心した位置に、フランス落し本体１１０の落し棒１１２の先端が挿入可能な貫通穴２１を備えているため、フランス落し本体１１０の落し棒１１２の位置とフランス落し受具１００の位置とがずれて取付けられた場合であっても、内筒部材２０を回動して貫通穴２１の位置を調整することにより、そのずれを解消でき、落し棒１１２をフランス落し受具１００にスムーズに嵌めることができる。
【００３５】
また、内筒部材２０が貫通穴２１の上側開口部を閉塞する蓋２２と、この蓋２２を貫通穴２１の上側開口部の方向へ付勢するバネ２３とを備えているため、ゴミ、埃、砂等のフランス落し受具１００への侵入を防ぐことができる。
【００３６】
さらに、バネ２３の下端に当接してこれを固定支持するピン２４を設けたことにより、内筒部材２０を外筒部材１０から外した場合にも、各部品がばらばらに分離してしまうことが無く、専門的な知識を必要とせずに容易に再組立することができる。
【００３７】
さらにまた、外筒部材１０の有底円筒部１１の内側周面における底面近傍にはこの底面から上方に突出する上向き突起１３が設けられ、内筒部材２０の外側周面にはこの内筒部材２０の底面から下方に突出する下向き突起２５が設けられており、上向き突起１３及び下向き突起２５の両側辺が頂部に向かって傾斜するテーパ形状に形成されているため、内筒部材２０を回動させ上向き突起１３と下向き突起２５とが同位置となったとき、内筒部材２０が上向き突起１３の高さ分だけ外筒部材１０から突出する状態となり、メンテナンス作業の際に、内筒部材２０を外筒部材１０から容易に引き出すことができる。
【００３８】
また、外筒部材１０の内側周面の上向き突起１３に対応する位置に軸方向に伸長する凹条１４が設けられ、内筒部材２０の外側周面の下向き突起２５に対応する位置に軸方向に伸長する凸条２６が設けられていることにより、上向き突起１３と下向き突起２５とが同位置となったとき、内筒部材２０の凸条２６が外筒部材１０の凹条１４内に係合し、内筒部材２０と外筒部材１０の嵌合力が弱まるので、内筒部材２０を外筒部材１０からより容易に引き出すことができ、メンテナンスの際の作業性を向上することができる。
【００３９】
さらに、内筒部材２０の上部の外側周面の一部には、周方向の沿ってくぼみ２８が設けられていることにより、内筒部材２０を外筒部材１０から引き出す際に、指又は工具をくぼみ２８に引掛けて内筒部材２０を容易に引き出すことができる。
【００４０】
なお、前述した実施形態のフランス落し受具１００において、内筒部材２０の蓋２２を貫通穴２１の上側開口部の方向へ付勢する弾性体として、コイル型のバネ２３を用いた例を説明したが、本発明はこれに限定されるものではない。
【００４１】
また、前述した実施形態のフランス落し受具１００において、外筒部材１０及び内筒部材２０は、ポリプロピレン（ＰＰ）樹脂材料から成形されたものとしたが、本発明はこれに限定されるものではない。金属材料から形成しても良い。
【００４２】
本発明は、上記の実施形態に限定されるものでなく、特許請求の範囲に記載された発明の要旨を逸脱しない範囲内での種々、設計変更した形態を技術的範囲に含むものである。
【産業上の利用可能性】
【００４３】
本発明は、扉等に用いられるフランス落し受具及びフランス落しのメンテナンス性を向上する目的に利用できる。
【符号の説明】
【００４４】
１  扉
１０  外筒部材
１１  有底円筒部
１２  鍔部
１３  上向き突起
１４  凹条
１５  リブ
１６、２９  切溝
２０  内筒部材
２１  貫通穴
２２  蓋
２３  バネ
２４  ピン
２４ａ  ピン孔
２５  下向き突起
２６  凸条
２７  凹溝
２８  くぼみ
１００  フランス落し受具
１１０  フランス落し本体
１１１  落し棒保持具
１１２  落し棒
１１３  摘み
２００  フランス落し
【図１】
0006399856.tif 000002
【図２】
0006399856.tif 000003
【図３】
0006399856.tif 000004
【図４】
0006399856.tif 000005
【図５】
0006399856.tif 000006
【図６】
0006399856.tif 000007
【図７】
0006399856.tif 000008
【図８】
0006399856.tif 000009
【図９】
0006399856.tif 000010